(57)【要約】【課題】従来の遠隔監視システムでは、携帯情報端末では、ＣＲＴに比べて表示エリアが小さく一度に多くの情報を表示できず、ユーザの入力手段も小さいボタンに限られるため文字の入力などが難しいなどの問題があった。【解決手段】プラント機器１を制御するコントローラ２からデータベース装置３によって収集されたアラーム情報を、Ｗｅｂサーバ５が受取ったとき、Ｗｅｂサーバ５は、アラーム情報のリスト画面を作成して、モバイル監視機器６に送信すると共に、モバイル監視機器６によってリスト画面から選択されたアラーム情報について、その詳細情報の画面を作成して、モバイル監視機器６に送信し、これによりオペレータは、小さい表示のモバイル監視機器６によってプラント監視を行なうようにした。【選択図】　　　　図１
2004054848.tif 000002
【特許請求の範囲】
【請求項１】
プラント機器の情報を収集し、上記情報に基づき上記プラント機器を制御するコントローラ、このコントローラから情報を収集し、蓄積するデータベース装置、このデータベース装置によって収集された情報を受け取り監視画面を作成し、上記監視画面をインターネット経由で提供するＷｅｂサーバ、このＷｅｂサーバからの監視画面を受信するモバイル監視機器を備え、上記Ｗｅｂサーバは、上記データベース装置から上記プラント機器のアラーム情報を受け取ったとき、上記アラーム情報のリスト画面を作成して、上記モバイル監視機器に送信すると共に、上記モバイル監視機器によって上記リスト画面から選択されたアラーム情報についての詳細情報の画面を上記モバイル監視機器に送信することを特徴とするプラント監視制御システム。
【請求項２】
上記Ｗｅｂサーバは、アラーム情報のリストを上記アラームの重要性に応じた順に配列することを特徴とする請求項１記載のプラント監視制御システム。
【請求項３】
プラント機器の情報を収集し、上記情報に基づき上記プラント機器を制御するコントローラ、このコントローラから情報を収集し、蓄積するデータベース装置、このデータベース装置によって収集された情報を受け取り監視画面を作成し、上記監視画面をインターネット経由で提供するＷｅｂサーバ、このＷｅｂサーバからの監視画面を受信するモバイル監視機器を備え、上記Ｗｅｂサーバは、上記データベース装置から上記プラント機器のアラーム情報を受け取ったとき、上記アラーム情報及び上記アラーム情報のＩＤ番号を上記モバイル監視機器に通知すると共に、上記モバイル監視機器によって上記監視画面を通じて入力された上記ＩＤ番号に応じたアラーム情報についての詳細情報の画面を上記モバイル監視機器に送信することを特徴とするプラント監視制御システム。
【請求項４】
プラント機器の情報を収集し、上記情報に基づき上記プラント機器を制御するコントローラ、このコントローラから情報を収集し、蓄積するデータベース装置、このデータベース装置によって収集された情報を受け取り監視画面を作成し、上記監視画面をインターネット経由で提供するＷｅｂサーバ、このＷｅｂサーバからの監視画面を受信するモバイル監視機器を備え、上記Ｗｅｂサーバは、上記データベース装置から上記プラント機器のアラーム情報を受け取ったとき、上記アラーム情報及び上記アラーム情報の詳細情報のＵＲＬを電子メールで上記モバイル監視機器に通知すると共に、上記モバイル監視機器によって選択されたＵＲＬに応じたアラーム情報の詳細情報の画面を上記モバイル監視機器に送信することを特徴とするプラント監視制御システム。
【請求項５】
プラント機器の情報を収集し、上記情報に基づき上記プラント機器を制御するコントローラ、このコントローラから情報を収集し、蓄積するデータベース装置、このデータベース装置によって収集された情報を受け取り監視画面を作成し、上記監視画面をインターネット経由で提供するＷｅｂサーバ、このＷｅｂサーバからの監視画面を受信するモバイル監視機器を備え、上記Ｗｅｂサーバは、上記データベース装置から上記プラント機器のアラーム情報を受け取ったとき、上記アラーム情報を上記モバイル監視機器に通知すると共に、上記モバイル監視機器による音声入力に応じたアラーム情報についての詳細情報の画面を上記モバイル監視機器に送信することを特徴とするプラント監視制御システム。
【発明の詳細な説明】
【０００１】
【発明の属する技術分野】
この発明は、上下水道設備などのプラントの情報を、携帯電話などのモバイル監視機器へ提供するためのデータベース装置、Ｗｅｂサーバ装置などから構成されるプラント監視制御システムに関するものである。
【０００２】
【従来の技術】
図１１は、例えば、特開平１０−２６２１２０号公報に示された従来の遠隔監視システムである。
図１１において、２０は監視装置、２１はネットワークＩ／Ｆ部とＣＰＵ部とディジタル信号１／Ｆ部とを有する制御装置、２２は無線部と制御部とネットワークＩ／Ｆ部とを有する基地局制御装置、２４は基地局、２５はプロトコル変換装置、２６はＰＨＳ電話機、２７は携帯情報端末、２８はセンサ、２９はバルブ、３０はネットワークである。
【０００３】
次に、動作について説明する。
オペレータは、ＰＨＳ電話機２６を用いて、基地局制御装置２２へ接続する。制御装置２１による制御が完了したとき、携帯情報端末２７から、ＰＨＳ電話機２６経由で制御装置２１へデータの要求を行なう。制御装置２１は、プラントのデータや、アラーム情報などをＰＨＳ無線の方式に変換し、ＰＨＳ電話機２６へ送信する。携帯情報端末２７は、ＰＨＳ電話機２６経由で受け取ったプラントのデータやアラーム情報などを表示する。
【０００４】
【発明が解決しようとする課題】
従来の遠隔監視システムでは、携帯情報端末２７を用いて監視制御するため、ＣＲＴによるプラント監視制御システムに比べて、表示エリアが小さく一度に多くの情報を表示できない、ユーザの入力手段も小さいボタンに限られるため文字の入力などが難しいなどの制約があり、効率のよい監視ができなかった。
【０００５】
この発明は、上記のような課題を解決するためになされたものであり、監視画面の構成を工夫することで、携帯端末を用いて効率的なプラント監視制御が行なえるようにしたプラント監視制御システムを得ることを目的にしている。
【０００６】
【課題を解決するための手段】
この発明に係わるプラント監視制御システムにおいては、プラント機器の情報を収集し、情報に基づきプラント機器を制御するコントローラと、このコントローラから情報を収集し、蓄積するデータベース装置と、このデータベース装置によって収集された情報を受け取り監視画面を作成し、監視画面をインターネット経由で提供するＷｅｂサーバと、このＷｅｂサーバからの監視画面を受信するモバイル監視機器を備え、Ｗｅｂサーバは、データベース装置からプラント機器のアラーム情報を受け取ったとき、アラーム情報のリスト画面を作成して、モバイル監視機器に送信すると共に、モバイル監視機器によってリスト画面から選択されたアラーム情報についての詳細情報の画面をモバイル監視機器に送信するものである。
また、Ｗｅｂサーバは、アラーム情報のリストをアラームの重要性に応じた順に配列するものである。
【０００７】
また、プラント機器の情報を収集し、情報に基づきプラント機器を制御するコントローラと、このコントローラから情報を収集し、蓄積するデータベース装置と、このデータベース装置によって収集された情報を受け取り監視画面を作成し、監視画面をインターネット経由で提供するＷｅｂサーバと、このＷｅｂサーバからの監視画面を受信するモバイル監視機器を備え、Ｗｅｂサーバは、データベース装置からプラント機器のアラーム情報を受け取ったとき、アラーム情報及びアラーム情報のＩＤ番号をモバイル監視機器に通知すると共に、モバイル監視機器によって監視画面を通じて入力されたＩＤ番号に応じたアラーム情報についての詳細情報の画面をモバイル監視機器に送信するものである。
【０００８】
さらに、プラント機器の情報を収集し、情報に基づきプラント機器を制御するコントローラと、このコントローラから情報を収集し、蓄積するデータベース装置と、このデータベース装置によって収集された情報を受け取り監視画面を作成し、監視画面をインターネット経由で提供するＷｅｂサーバと、このＷｅｂサーバからの監視画面を受信するモバイル監視機器を備え、Ｗｅｂサーバは、データベース装置からプラント機器のアラーム情報を受け取ったとき、アラーム情報及びアラーム情報の詳細情報のＵＲＬを電子メールでモバイル監視機器に通知すると共に、モバイル監視機器によって選択されたＵＲＬに応じたアラーム情報の詳細情報の画面をモバイル監視機器に送信するものである。
【０００９】
また、プラント機器の情報を収集し、情報に基づきプラント機器を制御するコントローラと、このコントローラから情報を収集し、蓄積するデータベース装置と、このデータベース装置によって収集された情報を受け取り監視画面を作成し、監視画面をインターネット経由で提供するＷｅｂサーバと、このＷｅｂサーバからの監視画面を受信するモバイル監視機器を備え、Ｗｅｂサーバは、データベース装置からプラント機器のアラーム情報を受け取ったとき、アラーム情報をモバイル監視機器に通知すると共に、モバイル監視機器による音声入力に応じたアラーム情報についての詳細情報の画面をモバイル監視機器に送信するものである。
【００１０】
【発明の実施の形態】
実施の形態１．
以下、この発明の実施の形態１を図１、図２に基づいて説明する。
図１は、この発明の実施の形態１によるプラント監視制御システムを示す構成図である。
図１において、１はプラントの設備・機器などのプラント機器で、１ａ、１ｂは個別のプラント機器である。２はプラント機器１に接続され、プラント機器１の制御を行い、状態を収集するコントローラで、１ａ、１ｂに対応して２ａ、２ｂが接続されている。３はコントローラ２と制御用ＬＡＮを介して接続されたデータベース装置で、コントローラ２からプラントの情報を収集・蓄積すると共に、ユーザからのプラントの制御操作をコントローラ２に送信する。４はプラントの情報ＬＡＮに接続されたファイアウォールで、外部のネットワークからプラントの情報ＬＡＮへの不法な侵入を阻止する。５はデータベース装置３からプラントの状態を取得し、公衆回線網を通じて、モバイル監視機器へプラントの情報を提供するＷｅｂサーバである。６はＷｅｂサーバ５へ公衆回線経由で接続することが可能なモバイル監視機器で、Ｗｅｂサーバ５からメールやＨＴＭＬ、Ｊａｖａ（登録商標）などのインターネットでの標準的なプロトコルによりプラントの情報を取得し、表示すると共に、ユーザの制御情報をＷｅｂサーバ５へ送信する。このモバイル監視機器６としては、市販のＪａｖａ（登録商標）対応の携帯電話などオペレータの負担なしにどこでも持ち運ぶことができ、またどこからでも監視操作の実行を行なうことができる機器を想定している。７は制御ＬＡＮ、８は情報ＬＡＮ、９はネットワーク、１０は公衆回線網、１１はネットワーク９と公衆回線網１０を接続するルータである。
【００１１】
Ｗｅｂサーバ５は、次のように構成されている。
５１はデータベース装置３から送られるデータを蓄積するデータ蓄積部、５２は受信した情報を基にしてメールを生成するメール生成部、５３はメール生成部５２によって生成されたメールを送信するメールサーバ部、５４はメールサーバ部５３の送信に用いられる通知先情報である。５５は汎用的なブラウザで見ることができる形式の画面を作成する画面生成部、５６は画面生成部５５で作成された画面をモバイル監視機器６へ送信するＷｅｂサーバ部である。
図２は、この発明の実施の形態１によるプラント監視制御システムの動作を示すフロー図である。
【００１２】
次に、動作について、図２に基づき説明する。
プラント機器１に故障や警報が発生した場合、コントローラ２は、その情報を受け取り、機器・設備の名称や、故障の種別などをデータベース装置３へ送信する。データベース装置３は、発生した故障の情報をＷｅｂサーバ５へ送信し、Ｗｅｂサーバ５はこれを受信する（ステップＳ１）。Ｗｅｂサーバ５は、その情報をデータ蓄積部５１にて蓄積すると同時に、メール生成部５２へ通知を送る。メール生成部５２は、最新のアラーム情報をデータ蓄積部５１から受け取り、発生時刻、設備・機器名称、故障の種別、重要度などの情報からなるメールを生成する（ステップＳ２）。
生成されたメールは、メールサーバ部５３によって、通知先情報５４に登録された通知先のモバイル監視機器６へ送信される（ステップＳ３）。モバイル監視機器６への通知手段は、他に電話音声による手段も考えられる。
【００１３】
通知を受け取った（ステップＴ１）オペレータは、モバイル監視機器６を用いて、Ｗｅｂサーバ５へ接続要求する（ステップＴ２）。Ｗｅｂサーバ５は、モバイル監視機器６からの接続要求を受けて（ステップＳ４）、データ蓄積部５１に蓄積されているアラーム情報から、発生中のアラーム情報の一覧をＪａｖａ（登録商標）やＨＴＭＬなど汎用的なブラウザで見ることができる形式で、画面生成部５５により画面として作成し、モバイル監視機器６へ接続後最初の画面として、Ｗｅｂサーバ部５６より送信する（ステップＳ５）。モバイル監視機器６は、アラーム画面を受信し（ステップＴ３）、アラーム情報の一覧を、最新のものからリストとして表示する。また、アラーム情報のリストの各項目には関連するトレンドグラフや機器操作画面などの詳細情報への画面へのリンクが張られており、リストを選択して、それらの画面を要求する（ステップＴ４）。Ｗｅｂサーバ５は、画面要求を受信し（ステップＳ６）、要求されたデータをモバイル監視機器６へ送信する（ステップＳ７）。これを基に、オペレータは、トレンドグラフなどにより詳細な状況を確認して、予備の機器の運転や、連絡など必要な対応をどこからでも取ることができる（ステップＴ５）。
【００１４】
実施の形態１によれば、アラーム情報の一覧から、直接必要な詳細情報を参照できるため、操作の不自由なモバイル監視機器からでも、容易に監視を行なうことが可能となる。
【００１５】
実施の形態２．
以下、この発明の実施の形態２を図３、図４に基づいて説明する。
図３は、この発明の実施の形態２によるプラント監視制御システムを示す構成図である。
図３において、３〜６、８〜１１、５１〜５６は図１におけるものと同一のものである。５７はアラーム情報毎に優先度を設定するための故障優先度設定情報である。
図４は、この発明の実施の形態２によるプラント監視制御システムの動作を示すフロー図である。
実施の形態２では、アラーム情報毎に優先度を設定するための故障優先度設定情報５７を設け、画面生成部５５で、アラームの一覧画面を生成する際にこの故障優先度設定情報５７を参照し、アラームのうち重要なものを先頭にしてリストを生成する。
実施の形態２による動作は、図２のステップＳ５に代えて、図４のステップＳ５−２で、アラームの一覧画面を重要なものを先頭にして作成する。その他の動作については実施の形態１と同様である。
【００１６】
実施の形態２によれば、故障に優先度を設定し、重要なものとそうでないものを分けて表示することが可能なため、オペレータはアラームの一覧をすべて参照しなくとも、優先して対応すべきアラームを見つけることができるため、より効果的な監視が可能となる。
【００１７】
実施の形態３．
以下、この発明の実施の形態３を図５、図６に基づいて説明する。
図５は、この発明の実施の形態３によるプラント監視制御システムを示す構成図である。
図５において、３〜６、８〜１１、５１〜５６は図１におけるものと同一のものである。５８はアラーム情報毎に設定されるＩＤ番号を登録したアラームＩＤ情報である。
図６は、この発明の実施の形態３によるプラント監視制御システムの動作を示すフロー図である。
【００１８】
図６では、Ｗｅｂサーバ５は、アラーム情報を受信すると、アラーム情報毎に数桁の数字からなるＩＤ番号を設定する（ステップＳ１−３）。Ｗｅｂサーバ５は、メールまたは音声などでアラーム情報をモバイル監視機器へ送信する際に、故障の情報とともにこのＩＤ番号を含むメールをメール生成部５２で作成し（ステップＳ２−３）、生成されたメールは、メールサーバ部５３によって、通知先情報５４に登録された通知先のモバイル監視機器６へ送信される（ステップＳ３）。モバイル監視機器６への通知手段は、他に電話音声による手段を用いてもよい。
通知を受け取った（ステップＴ１）オペレータは、モバイル監視機器６を用いて、Ｗｅｂサーバ５へ接続要求する（ステップＴ２）。Ｗｅｂサーバ５は、モバイル監視機器６からの接続要求を受けて（ステップＳ４）、アラームのＩＤ入力画面を送信する（ステップＳ５−３）。モバイル監視機器６では、このアラームのＩＤ入力画面を受信し（ステップＴ３−３）、初期画面を表示した際に、初期画面でこのＩＤ番号を入力して送信する（ステップＴ４−３）。Ｗｅｂサーバ５は、画面要求を受信し（ステップＳ６）、入力されたＩＤ番号から対応するアラーム情報を検索し、その詳細情報をモバイル監視機器へ送信する（ステップＳ７−３）。これを基に、オペレータは、トレンドグラフなどにより詳細な状況を確認して、予備の機器の運転や、連絡など必要な対応をどこからでも取ることができる（ステップＴ５）。
【００１９】
実施の形態３によれば、ＩＤ番号からアラーム情報を検索し、即座に詳細情報を表示することができるため、オペレータは数桁の数字を入力するだけの簡単な操作で、必要な情報を表示することが可能となる。
【００２０】
実施の形態４．
以下、この発明の実施の形態４を図７、図８に基づいて説明する。
図７は、この発明の実施の形態４によるプラント監視制御システムを示す構成図である。
図７において、３〜６、８〜１１、５１〜５６は図１におけるものと同一のものである。５９は画面ＵＲＬ（Ｕｎｉｖｅｒｓａｌ　Ｒｅｓｏｕｒｃｅ　Ｌｏｃａｔｏｒ）情報である。
図８は、この発明の実施の形態４によるプラント監視制御システムの動作を示すフロー図である。
【００２１】
実施の形態４では、Ｗｅｂサーバ５は、アラーム情報を受信すると、そのアラームの詳細情報を表示する画面のＵＲＬを生成する（ステップＳ１−４）。メールサーバ部５３では、アラームの情報とともに、ＵＲＬを含むメールを作成し（ステップＳ２−４）、作成したメールを送付先情報に基づきモバイル監視機器６へ送信する（ステップＳ３−４）。
オペレータは、送信されてきたメールを受信し（ステップＴ１−４）、メールに含まれるＵＲＬを選択することで、Ｗｅｂサーバ５への接続を要求する（ステップＴ２−４）。Ｗｅｂサーバ５は、接続要求を受信し（ステップＳ４）、要求されたＵＲＬのアラームの詳細情報画面を送信する（ステップＳ５−４）。オペレータは、モバイル監視機器６により、この画面を受けて（ステップＴ３−４）、直接アラームの詳細情報を確認することが可能となる。
【００２２】
実施の形態４によれば、アラーム情報メールから直接詳細情報を参照することが可能なため、より少ない操作で、アラーム情報を確認することが可能となる。
【００２３】
実施の形態５．
以下、この発明の実施の形態５を図９、図１０に基づいて説明する。
図９は、この発明の実施の形態５によるプラント監視制御システムを示す構成図である。
図９において、３〜６、８〜１１、５１〜５６は図１におけるものと同一のものである。６０はＷｅｂサーバ５に設けられ、モバイル監視機器６から送信される音声を認識する音声認識部である。
図１０は、この発明の実施の形態５によるプラント監視制御システムの動作を示すフロー図である。
【００２４】
実施の形態５は、Ｗｅｂサーバ５に音声認識処理部６０を設ける。
図１０のステップＳ１〜Ｓ４、ステップＴ１、Ｔ２は図２におけるものと同一の動作である。
アラーム情報をメールや電話で受け取ったオペレータは、モバイル監視機器６によりＷｅｂサーバ５に接続し、必要なアラームの名称などを音声で入力する（ステップＴ３−５）。Ｗｅｂサーバ５は、音声の入力待ち（ステップＳ５−５）状態で、音声を受信すると、音声認識処理を行って、対応するアラーム情報を選択し（ステップＳ６−５）、必要な詳細情報をモバイル監視機器６へ送信する（ステップＳ７−５）。モバイル監視機器６は、送信された画面を受信する（ステップＴ５）。
【００２５】
実施の形態５によれば、ボタンの操作なしに必要な情報を表示することができるため、より少ない操作で、アラーム情報を確認することが可能となる。
【００２６】
【発明の効果】
この発明は、以上説明したように構成されているので、以下に示すような効果を奏する。
プラント機器の情報を収集し、情報に基づきプラント機器を制御するコントローラと、このコントローラから情報を収集し、蓄積するデータベース装置と、このデータベース装置によって収集された情報を受け取り監視画面を作成し、監視画面をインターネット経由で提供するＷｅｂサーバと、このＷｅｂサーバからの監視画面を受信するモバイル監視機器を備え、Ｗｅｂサーバは、データベース装置からプラント機器のアラーム情報を受け取ったとき、アラーム情報のリスト画面を作成して、モバイル監視機器に送信すると共に、モバイル監視機器によってリスト画面から選択されたアラーム情報についての詳細情報の画面をモバイル監視機器に送信するので、アラーム情報のリストから、必要な詳細情報を参照できるため、操作の不自由なモバイル監視機器からでも、容易に監視を行なうことが可能となる。
また、Ｗｅｂサーバは、アラーム情報のリストをアラームの重要性に応じた順に配列するので、重要な故障を見つけやすくなるため、より効果的な監視が可能となる。
【００２７】
また、プラント機器の情報を収集し、情報に基づきプラント機器を制御するコントローラと、このコントローラから情報を収集し、蓄積するデータベース装置と、このデータベース装置によって収集された情報を受け取り監視画面を作成し、監視画面をインターネット経由で提供するＷｅｂサーバと、このＷｅｂサーバからの監視画面を受信するモバイル監視機器を備え、Ｗｅｂサーバは、データベース装置からプラント機器のアラーム情報を受け取ったとき、アラーム情報及びアラーム情報のＩＤ番号をモバイル監視機器に通知すると共に、モバイル監視機器によって監視画面を通じて入力されたＩＤ番号に応じたアラーム情報についての詳細情報の画面をモバイル監視機器に送信するので、モバイル監視機器では、ＩＤ番号からアラーム情報の詳細情報を表示することができ、オペレータは数桁の数字を入力するだけの簡単な操作で、必要な情報を表示することが可能となる。
【００２８】
さらに、プラント機器の情報を収集し、情報に基づきプラント機器を制御するコントローラと、このコントローラから情報を収集し、蓄積するデータベース装置と、このデータベース装置によって収集された情報を受け取り監視画面を作成し、監視画面をインターネット経由で提供するＷｅｂサーバと、このＷｅｂサーバからの監視画面を受信するモバイル監視機器を備え、Ｗｅｂサーバは、データベース装置からプラント機器のアラーム情報を受け取ったとき、アラーム情報及びアラーム情報の詳細情報のＵＲＬを電子メールでモバイル監視機器に通知すると共に、モバイル監視機器によって選択されたＵＲＬに応じたアラーム情報の詳細情報の画面をモバイル監視機器に送信するので、アラーム情報メールから直接詳細情報を参照することが可能なため、より少ない操作で、監視することができる。
【００２９】
また、プラント機器の情報を収集し、情報に基づきプラント機器を制御するコントローラと、このコントローラから情報を収集し、蓄積するデータベース装置と、このデータベース装置によって収集された情報を受け取り監視画面を作成し、監視画面をインターネット経由で提供するＷｅｂサーバと、このＷｅｂサーバからの監視画面を受信するモバイル監視機器を備え、Ｗｅｂサーバは、データベース装置からプラント機器のアラーム情報を受け取ったとき、アラーム情報をモバイル監視機器に通知すると共に、モバイル監視機器による音声入力に応じたアラーム情報についての詳細情報の画面をモバイル監視機器に送信するので、ボタンの操作なしに必要な情報を表示することができるため、より少ない操作で、アラーム情報を確認することが可能となる。
【図面の簡単な説明】
【図１】この発明の実施の形態１によるプラント監視制御システムを示す構成図である。
【図２】この発明の実施の形態１によるプラント監視制御システムの動作を示すフロー図である。
【図３】この発明の実施の形態２によるプラント監視制御システムを示す構成図である。
【図４】この発明の実施の形態２によるプラント監視制御システムの動作を示すフロー図である。
【図５】この発明の実施の形態３によるプラント監視制御システムを示す構成図である。
【図６】この発明の実施の形態３によるプラント監視制御システムの動作を示すフロー図である。
【図７】この発明の実施の形態４によるプラント監視制御システムを示す構成図である。
【図８】この発明の実施の形態４によるプラント監視制御システムの動作を示すフロー図である。
【図９】この発明の実施の形態５によるプラント監視制御システムを示す構成図である。
【図１０】この発明の実施の形態５によるプラント監視制御システムの動作を示すフロー図である。
【図１１】従来の遠隔監視システムを示す構成図である。
【符号の説明】
１　プラント機器、２　コントローラ、３　データベース装置、４　ファイアウォール、５　Ｗｅｂサーバ、６　モバイル監視機器、７　制御ＬＡＮ、８　情報ＬＡＮ、９　ネットワーク、１０　公衆回線網、１１　ルータ、５１　データ蓄積部、５２　メール生成部、５３　メールサーバ部、５４　通知先情報、５５　画面生成部、５６　Ｗｅｂサーバ部、５７　故障優先度設定情報、５８　アラームＩＤ情報、５９　画面ＵＲＬ情報、６０　音声認識部。
【図１】
2004054848.tif 000003
【図２】
2004054848.tif 000004
【図３】
2004054848.tif 000005
【図４】
2004054848.tif 000006
【図５】
2004054848.tif 000007
【図６】
2004054848.tif 000008
【図７】
2004054848.tif 000009
【図８】
2004054848.tif 000010
【図９】
2004054848.tif 000011
【図１０】
2004054848.tif 000012
【図１１】
2004054848.tif 000013